(57)【要約】【課題】真下方向へ集中的に風を吹き出さず、かつ天井の汚れを生じ難くする。【解決手段】送風装置（１）は、回転するファンを内部に有し、ファンの回転により吸込み口（４３）から吸い込んだ空気を吹出し口（４４）から吹き出す。送風装置（１）は、吸込み口（４３）を側面に有し、ファンは斜流ファン（３４）であり、斜流ファン（３４）の回転により吹出し口（４４）から空気を斜め下方へ吹き出す。【選択図】図１
2020033950.tif 000002
【特許請求の範囲】
【請求項１】
回転するファンを内部に有し、前記ファンの回転により吸込み口から吸い込んだ空気を吹出し口から吹き出す天井設置型の送風装置において、
前記吸込み口を側面に有し、
前記ファンは斜流ファンであり、前記斜流ファンの回転により前記吹出し口から空気を斜め下方へ吹き出すことを特徴とする送風装置。
【請求項２】
下面にカバー部材を有し、
前記カバー部材の周りに前記吹出し口を有し、
前記カバー部材の上に、エアーフィルタを保持するためのフィルタ保持部材が設けられ、
前記カバー部材および前記フィルタ保持部材は、同時に着脱可能であり、装着状態では前記フィルタ保持部材に保持された前記エアーフィルタが前記吸込み口の内側に位置することを特徴とする請求項１に記載の送風装置。
【請求項３】
前記斜流ファンの周りに照明部が設けられ、
前記照明部は下面に光源が設けられた照明基板を上部に有し、
前記照明基板は放熱板の下面に取り付けられ、
前記放熱板の上面が前記吸込み口への空気の通路に存在することを特徴とする請求項１または２に記載の送風装置。
【請求項４】
前記照明部は、前記照明基板の下面側を覆いかつ下方へ凸状の照明カバーを有し、
前記照明カバーは前記吹出し口に面する側面を有し、
前記側面は前記斜流ファンによる空気の吹き出し方向に沿って斜めに傾斜していることを特徴とする請求項３に記載の送風装置。
【請求項５】
前記斜流ファンの外周端縁部は、前記吸込み口よりも下に位置していることを特徴とする請求項１から４のいずれか１項に記載の送風装置。
【発明の詳細な説明】
【技術分野】
【０００１】
本発明は、天井設置型の送風装置に関する。
【背景技術】
【０００２】
従来、天井設置型の送風装置が知られている。例えば特許文献１には、照明装置を備えた送風装置が開示されている。上記送風装置は、具体的には、プロペラファンからなるファンモジュールを有し、ファンモジュールの周りに環状ライトフレームが設けられ、環状ライトフレームに発光モジュールが取り付けられている。送風装置は、装着フレームによって天井に固定され、天井とファンモジュールとの間に、空気吸込み用の隙間が形成されている。これにより、送風装置は、ファンモジュールにより、上面側すなわち天井側から空気を吸い込み、吸い込んだ空気を送風装置の下方へ吹き出すようになっている。
【先行技術文献】
【特許文献】
【０００３】
【特許文献１】実用新案登録第３２１４０３１号公報
【発明の概要】
【発明が解決しようとする課題】
【０００４】
しかしながら、上記従来の構成では、プロペラファンからなるファンモジュールによって、送風装置の真下方向へ集中的に風を吹き出すため、送風装置の下方に居る人に不快感を与える虞がある。また、天井側から空気を吸い込む構成であるから、吸い込まれる空気が一旦天井に当たるため、天井が汚れ易いという問題点を有している。
【０００５】
本発明の一態様は、真下方向へ集中的に風を吹き出すことがなく、かつ天井の汚れが生じ難い送風装置の提供を目的とする。
【課題を解決するための手段】
【０００６】
上記の課題を解決するために、本発明の一態様に係る送風装置は、回転するファンを内部に有し、前記ファンの回転により吸込み口から吸い込んだ空気を吹出し口から吹き出す天井設置型の送風装置において、前記吸込み口を側面に有し、前記ファンは斜流ファンであり、前記斜流ファンの回転により前記吹出し口から空気を斜め下方へ吹き出す。
【発明の効果】
【０００７】
本発明の一態様によれば、真下方向へ集中的に風を吹き出すことがなく、かつ天井の汚れを生じ難い。
【図面の簡単な説明】
【０００８】
【図１】本発明の実施形態の、天井への取り付け状態の送風装置を斜め下方から見た場合の斜視図である。
【図２】図１に示した送風装置の下面図である。
【図３】図１に示した送風装置の正面図である。
【図４】図１に示した送風装置の図２におけるＡ−Ａ断面図である。
【図５】図１に示した送風装置において、カバー部材、エアーフィルタおよびフィルタ保持部材を取り外した状態を示す斜視図である。
【図６】図５に示した送風装置の下面図である。
【図７】図５に示した送風装置の正面図である。
【図８】図５に示した送風装置の図６におけるＢ−Ｂ断面図である。
【図９】図１に示した送風装置の分解斜視図であり、図９の（ａ）は、天井に天井取付板および接続アダプタを取り付けた状態を示す斜視図である。図９の（ｂ）は、図４に示した送風装置本体部からカバー部材、エアーフィルタおよびフィルタ保持部材を取り外した状態を示す斜視図である。図９の（ｃ）は、図４に示した送風装置本体部から取り外したカバー部材、エアーフィルタおよびフィルタ保持部材を示す斜視図である。
【図１０】図１０の（ａ）は、図９の（ａ）に示した状態の天井取付板および接続アダプタの正面図である。図１０の（ｂ）は、図９の（ｂ）に示した状態の送風装置本体部２３の正面図である。図１０の（ｃ）は、図９の（ｃ）に示したエアーフィルタおよびフィルタ保持部材３９の正面図である。
【図１１】図１１は、図９の（ｃ）および図１０の（ｃ）に示したカバー部材、エアーフィルタおよびフィルタ保持部材を斜め上方から見た場合の斜視図である。
【図１２】シーリングローゼットに対する図９の（ａ）に示した天井取付板の取り付け作業を示す斜視図である。
【図１３】図１２に示した天井取付板に対する送風装置本体部の取り付け作業を示す斜視図である。
【図１４】天井への図１に示した送風装置の取り付け完了状態を示す縦断面図である。
【発明を実施するための形態】
【０００９】
〔実施形態１〕
本発明の実施形態を図面に基づいて以下に説明する。図１は、本実施形態の天井への取り付け状態の送風装置１を斜め下方から見た場合の斜視図である。図２は、図１に示した送風装置１の下面図である。図３は、図１に示した送風装置１の正面図である。図４は、図１に示した送風装置１の図２におけるＡ−Ａ断面図である。
【００１０】
（送風装置の構成）
図１から図４に示すように、送風装置１は、天井取付型であり、天井パネル２の下面に露出するシーリングローゼット５１（図１２参照）に取り付けられる。具体的には、送風装置１は、天井取付板２１、接続アダプタ２２および送風装置本体部２３を有する。接続アダプタ２２はシーリングローゼット５１の真下に取り付けられ、送風装置１は、接続アダプタ２２を介してシーリングローゼット５１から電力供給を受ける。
【００１１】
天井取付板２１は、金属製のドーナツ板形状であり、接続アダプタ２２を穴に挿入した状態にて、接続アダプタ２２に固定される。送風装置本体部２３は、ねじにより天井取付板２１に取り付けられる。なお、天井取付板２１の上面には緩衝材２４が設けられている。
【００１２】
（送風装置本体部の構成）
図４に示すように、送風装置本体部２３は、天井取付板２１の下に上部筐体部３１を有し、上部筐体部３１の下に空気取込部３２を有し、空気取込部３２の下に照明部３３および斜流ファン３４を有している。
【００１３】
（上部筐体部の構成）
上部筐体部３１は、円形の容器形状を有し、鍔状を有する上縁の周縁部の例えば４個所がねじによって天井取付板２１に固定されている。上部筐体部３１の内部における下部の中央部、すなわち接続アダプタ２２の真下の位置には、駆動軸３５ａを下方、すなわち空気取込部３２の内部へ突出させた状態にてファンモータ３５が設けられている。ファンモータ３５の上には電源基板３６が設けられている。電源基板３６は、照明部３３およびファンモータ３５の電源部として機能し、交流電力を直流電力に変換するＡＣ／ＤＣ変換部（図示せず）を備えている。
【００１４】
（空気取込部の構成）
空気取込部３２は、外周部が円筒形状であり、上面が閉じた状態、かつ下面が開放した状態である。空気取込部３２の外周部の全周（３６０°）は、空気の吸込み口４３となっており、内部は斜流ファン３４への空気通路となっている。したがって、送風装置１は、空気の吸込み方向が横方向となっている。空気取込部３２の内部の上壁には例えばイオン発生装置３７が２個設けられている。イオン発生装置３７は、イオンを発生し、発生したイオンを空気取込部３２の内部を流れる空気に与える。
【００１５】
また、空気取込部３２は、吸込み口４３にエアーフィルタ３８を有している。エアーフィルタ３８は例えば脱臭フィルタである。エアーフィルタ３８は、フィルタ保持部材３９にて保持されている。
【００１６】
（照明部の構成）
照明部３３は、照明基板４０と照明カバー４１とを備えている。照明基板４０は、光源である例えばＬＥＤ５４が多数設けられ、ドーナツ板形状を有している。照明基板４０は金属製の放熱板５３の下面に取り付けられている。放熱板５３は照明基板４０と同様、ドーナツ板形状を有している。放熱板５３の上面は、吸込み口４３への空気の通路に存在する。
【００１７】
照明カバー４１は、下方へ膨らんだ形状（下方へ凸状）であり、照明基板４０を下方から覆い、照明基板４０と同様、ドーナツ板形状を有している。照明カバー４１の内周面４１ａは、空気の吹出し口４４に面し、斜流ファン３４による斜め下方への風の吹き出しに対応して斜めに傾斜している。
【００１８】
（斜流ファンの構成）
斜流ファン３４は、空気取込部３２の下部から照明部３３の中央の空間部にかけて位置しており、ファンモータ３５の駆動軸３５ａに取り付けられ、ファンキャップ４５にて駆動軸３５ａに固定されている。斜流ファン３４は、最外周に位置する外周端縁部３４ａが斜流ファン３４の軸方向に延びており、この外周端縁部３４ａは、吸込み口４３よりも下方に位置している。斜流ファン３４は、軸方向に対して斜めに風を吹き出すファンであり、ファンモータ３５に駆動されて回転し、図４に矢印にて示すように斜め下方へ風を吹き出す。
【００１９】
（カバー部材の構成）
送風装置本体部２３は、斜流ファン３４の下、すなわち下面に円板形状のカバー部材４２を有している。カバー部材４２の外周部と照明部３３の照明カバー４１との間は、空気の吹出し口４４となっている。
【００２０】
（送風装置の動作）
上記の構成において、送風装置１が動作すると、ファンモータ３５に駆動されて斜流ファン３４が回転し、イオン発生装置３７がイオンを発生する。斜流ファン３４が回転すると、吸込み口４３の周りの空気が吸込み口４３から空気取込部３２の内部へ取り込まれる。この場合、吸込み口４３の周りから吸込み口４３へ向かう空気の流れは横方向となり、照明部３３の照明基板４０が取り付けられている放熱板５３上を通過する。
【００２１】
空気取込部３２の内部へ取り込まれた空気は、イオン発生装置３７が発生するイオンを含み、回転する斜流ファン３４により吹出し口４４から斜め下方へ吹き出される。この場合、照明カバー４１の内周面４１ａは、斜流ファン３４による斜め下方への風の吹き出しに対応して斜めに傾斜しているので、吹出し口４４から吹き出される風を圧損を生じることなく案内する。
【００２２】
（送風装置の利点）
本実施形態の送風装置１では、斜流ファン３４を備え、空気取込部３２に取り込んだ空気を斜流ファン３４により直接に斜め下方へ吹き出すようになっている。これにより、送風装置１は、送風装置１の真下方向へ集中的に風を吹き出すことがなく、送風装置１の下方に居る人に不快感を与えることがない。また、送風装置１は、風を吹き出す場合の圧損が少なく、効率よく風を吹き出すことができる。
【００２３】
これに対し、例えばプロペラファンによる真下方向への風向きをルーバによって斜め下方へ変更するような構成では、圧損が大きくなり、風を効率よく吹き出すことができない。
【００２４】
また、空気取込部３２は、上面が閉じた状態であり、側面に有する吸込み口４３から空気を取り込むようになっている。これにより、空気取込部３２に取り込む空気が天井に当たって天井が汚れる事態を防止することができる。
【００２５】
また、照明基板４０の上面は吸込み口４３への空気の通路に存在し、吸込み口４３へ向かう風は照明部３３の照明基板４０が取り付けられている放熱板５３上を通過する。これにより、放熱板５３とともに照明基板４０を冷却することができる。
【００２６】
また、照明カバー４１の内周面４１ａは、斜流ファン３４による斜め下方への空気の吹き出しに対応して斜めに傾斜している。これにより、照明カバー４１の内周面４１ａは、吹出し口４４から吹き出される空気を圧損を生じることなく案内することができる。
【００２７】
また、斜流ファン３４は、外周端縁部３４ａが吸込み口４３よりも下方に位置しているので、斜流ファン３４が吹き出す風の吸込み口４３への逆流を生じることがない。
【００２８】
また、送風装置１は、空気を斜め下方へ吹き出すので、イオン発生装置３７が発生するイオンを部屋の広い範囲に行き渡らせることができる。
【００２９】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３０】
図５は、図１に示した送風装置１において、カバー部材４２、エアーフィルタ３８およびフィルタ保持部材３９を取り外した状態を示す斜視図である。図６は、図５に示した送風装置１の下面図である。図７は、図５に示した送風装置１の正面図である。図８は、図５に示した送風装置１の図６におけるＢ−Ｂ断面図である。
【００３１】
図９は、図１に示した送風装置１の分解斜視図であり、図９の（ａ）は、天井に天井取付板２１および接続アダプタ２２を取り付けた状態を示す斜視図である。図９の（ｂ）は、図４に示した送風装置本体部２３からカバー部材４２、エアーフィルタ３８およびフィルタ保持部材３９を取り外した状態を示す斜視図である。図９の（ｃ）は、送風装置本体部２３から取り外したカバー部材４２、エアーフィルタ３８およびフィルタ保持部材３９を示す斜視図である。
【００３２】
図１０の（ａ）は、図９の（ａ）に示した状態の天井取付板２１および接続アダプタ２２の正面図である。図１０の（ｂ）は、図９の（ｂ）に示した状態の送風装置本体部２３の正面図である。図１０の（ｃ）は、図９の（ｃ）に示したエアーフィルタ３８およびフィルタ保持部材３９の正面図である。
【００３３】
図１１は、図９の（ｃ）および図１０の（ｃ）に示したカバー部材４２、エアーフィルタ３８およびフィルタ保持部材３９を斜め上方から見た場合の斜視図である。
【００３４】
（送風装置および送風装置本体部の構成）
図５から図１１、特に図９および図１１に示すように、本実施形態において、送風装置１は、送風装置本体部２３からカバー部材４２とともにエアーフィルタ３８およびフィルタ保持部材３９を取り外し可能となっている。
【００３５】
図９の（ｃ）、図１０の（ｃ）および図１１に示すように、カバー部材４２は、上面に３個の脚部材４６が設けられている。これら脚部材４６は、上下逆のＬ字形を有し、外周部付近に互いに等間隔（１２０°間隔）にて配置されている。脚部材４６の上面には、フィルタ保持部材３９が取り付けられている。エアーフィルタ３８は、フィルタ保持部材３９の内周面に保持されており、例えば３個を円弧状に配置することにより円を形成するようになっている。エアーフィルタ３８は、フィルタ保持部材３９に対して容易に着脱可能である。
【００３６】
（カバー部材およびフィルタ保持部材の取り付け構造）
図１１に示すように、カバー部材４２に設けられた脚部材４６の上面には、フィルタ保持部材３９の外周部からはみ出した部分が存在し、その部分には、磁石４７が取り付けられている。これに対応して、図６に示すように、カバー部材４２およびフィルタ保持部材３９を送風装置本体部２３に装着した場合に、上記磁石４７と対向する送風装置本体部２３の位置には、磁性体からなる磁石吸着部４８が設けられている。これにより、カバー部材４２およびフィルタ保持部材３９を送風装置本体部２３に装着した場合に、カバー部材４２およびフィルタ保持部材３９を容易に固定することができる。すなわち、カバー部材４２およびフィルタ保持部材３９は、送風装置本体部２３に対して容易に着脱することができる。
【００３７】
なお、送風装置本体部２３に対するカバー部材４２およびフィルタ保持部材３９の取り付け構造は、磁石４７を利用した上記構造に限定されず、その他の構造であってもよい。
【００３８】
（天井への送風装置の取り付け）
図１２は、シーリングローゼット５１に対する天井取付板２１の取り付け作業を示す斜視図である。図１３は、天井取付板２１に対する送風装置本体部２３の取り付け作業を示す斜視図である。図１４は、天井への送風装置１の取り付け完了状態を示す縦断面図である。
【００３９】
送風装置１を天井（天井パネル２）に取り付ける際には、図１２に示すように、まず接続アダプタ２２をシーリングローゼット５１に嵌合させ、次に、天井取付板２１を接続アダプタ２２に取り付ける。この場合、接続アダプタ２２は左右の位置に爪部２２ａを有し、天井取付板２１を爪部２２ａによって接続アダプタ２２に固定する。
【００４０】
次に、図１３に示すように、送風装置本体部２３を天井取付板２１にねじ４９によって取り付ける。ねじ４９を取り付けるねじ取り付け位置５０は、図６に示すように、４個所である。この段階において、送風装置本体部２３は、斜流ファン３４、ファンキャップ４５、カバー部材４２、フィルタ保持部材３９およびエアーフィルタ３８が未装着の状態である。
【００４１】
その後、送風装置本体部２３に対して、斜流ファン３４、ファンキャップ４５、カバー部材４２、フィルタ保持部材３９およびエアーフィルタ３８を取り付けることにより、図１４に示すように、送風装置１の取り付けが完了する。
【００４２】
本実施形態の送風装置１のその他の構成は、前述した実施形態の送風装置１と同様である。
【００４３】
（送風装置の利点）
本実施形態の送風装置１では、送風装置本体部２３からカバー部材４２を取り外した場合に、同時にフィルタ保持部材３９およびエアーフィルタ３８を取り外すことができる。すなわち、エアーフィルタ３８を取り外す場合にはカバー部材４２を取り外せばよい。これにより、例えばエアーフィルタ３８を洗浄する場合のエアーフィルタ３８の取り外しを容易に行うことができる。
【００４４】
また、送風装置本体部２３を天井取付板２１に取り付ける場合には、送風装置本体部２３に対して斜流ファン３４、ファンキャップ４５、カバー部材４２、フィルタ保持部材３９およびエアーフィルタ３８が未装着の状態にて、送風装置本体部２３を天井取付板２１に対して下方から容易にねじ止めすることができる。これにより、天井に対する送風装置１の取り付け作業を容易に行うことができる。
【００４５】
本実施形態の送風装置１のその他の利点は、前述した実施形態の送風装置１と同様である。
【００４６】
〔実施形態３〕
本発明の他の実施形態について、以下に説明する。以上の実施形態に示した送風装置１は、イオン発生装置３７を備え、イオン発生装置３７が発生するイオンを含む風を斜流ファン３４によって吹出し口４４から室内へ吹き出す構成とした。しかしながら、送風装置１は、イオン発生装置３７を備えることが必須ではなく、イオン発生装置３７を備えていない構成であってもよい。なお、エアーフィルタ３８は脱臭フィルタに限定されず、その他の集塵フィルタやＨＥＰＡフィルタ(High Efficiency Particulate Air Filter)であってもよい。
【００４７】
また、以上の実施形態に示した送風装置１は、照明部３３を備えた構成であるが、これについてもイオン発生装置３７と同様、必須ものではなく、照明部３３を備えていない構成であってもよい。また、ファンは、ターボファンあるいはシロッコファンの構成でもよい。
【００４８】
〔まとめ〕
本発明の態様１に係る送風装置は、回転するファンを内部に有し、前記ファンの回転により吸込み口から吸い込んだ空気を吹出し口から吹き出す天井設置型の送風装置において、前記吸込み口を側面に有し、前記ファンは斜流ファンであり、前記斜流ファンの回転により前記吹出し口から空気を斜め下方へ吹き出す。
【００４９】
本発明の態様２に係る送風装置は、上記態様１において、下面にカバー部材を有し、前記カバー部材の周りに前記吹出し口を有し、前記カバー部材の上に、エアーフィルタを保持するためのフィルタ保持部材が設けられ、前記カバー部材および前記フィルタ保持部材は、同時に着脱可能であり、装着状態では前記フィルタ保持部材に保持された前記エアーフィルタが前記吸込み口の内側に位置する構成としてもよい。
【００５０】
本発明の態様３に係る送風装置は、上記態様１または２において、前記斜流ファンの周りに照明部が設けられ、前記照明部は下面に光源が設けられた照明基板を上部に有し、前記照明基板は放熱板の下面に取り付けられ、前記放熱板の上面が前記吸込み口への空気の通路に存在する構成としてもよい。
【００５１】
本発明の態様４に係る送風装置は、上記態様３において、前記照明部は、前記照明基板の下面側を覆いかつ下方へ凸状の照明カバーを有し、前記照明カバーは前記吹出し口に面する側面を有し、前記側面は前記斜流ファンによる空気の吹き出し方向に沿って斜めに傾斜している構成としてもよい。
【００５２】
本発明の態様５に係る送風装置は、上記態様１から４のいずれか１態様において、前記斜流ファンの外周端縁部は、前記吸込み口よりも下に位置している構成としてもよい。
【００５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５４】
１    送風装置
２    天井パネル
２１    天井取付板
２３    送風装置本体部
３１    上部筐体部
３２    空気取込部
３３    照明部
３４    斜流ファン
３４ａ  外周端縁部
３５    ファンモータ
３７    イオン発生装置
３８    エアーフィルタ
３９    フィルタ保持部材
４０    照明基板
４１    照明カバー
４１ａ  内周面
４２    カバー部材
４３    吸込み口
４４    吹出し口
４７    磁石
４８    磁石吸着部
４９    ねじ
５１    シーリングローゼット
５３    放熱板
【図１】
2020033950.tif 000003
【図２】
2020033950.tif 000004
【図３】
2020033950.tif 000005
【図４】
2020033950.tif 000006
【図５】
2020033950.tif 000007
【図６】
2020033950.tif 000008
【図７】
2020033950.tif 000009
【図８】
2020033950.tif 000010
【図９】
2020033950.tif 000011
【図１０】
2020033950.tif 000012
【図１１】
2020033950.tif 000013
【図１２】
2020033950.tif 000014
【図１３】
2020033950.tif 000015
【図１４】
2020033950.tif 000016